【事件の表示】
　特願２００３−３３７９２９「アンテナ装置」拒絶査定不服審判事件〔平成１７年　４月２１日出願公開、特開２００５−１０９６８８〕について、次のとおり審決する。
【結　論】
　本件審判の請求は、成り立たない。
【理　由】
第１．手続の経緯
　本願は、平成１５年９月２９日の出願であって、原審において平成１９年１２月１９日付けで拒絶査定がなされ、これに対し平成２０年２月８日に審判請求がなされ、同年３月７日に手続補正書の提出があったものである。
　なお、平成２１年１１月６日付けで当審より審尋を発したが、その指定期間内に回答書の提出はなされなかった。
　
　
第２．補正却下の決定
［補正却下の決定の結論］
　　平成２０年３月７日付けの手続補正を却下する。
　
［理由］
１．本願発明と補正後の発明
　上記手続補正（以下、「本件補正」という。）は、補正前の平成１９年１０月１２日付けの手続補正書の特許請求の範囲の請求項１に記載された、
　
「衛星から送出された信号を受信するアンテナ装置において、
トップカバー及びボトムプレートが接合されてなるアンテナケースと、
前記トップカバー内に収納され、前記信号を受信するアンテナモジュールと、
前記トップカバーと前記ボトムプレートとの接合部に配設され、前記アンテナケースの密閉性を確保するパッキン部材と、
前記アンテナモジュールに接続された信号線とを備え、
前記トップカバーは、
前記接合部に位置して、前記信号線を外部に引き出すための切欠部と、
前記パッキング部材の前記アンテナモジュールの全面を覆う四角形状のベース部の周辺端において、前記ベース部の上面に接するように内壁から前記ボトムプレートの方向に延出する壁部を有し、
前記パッキン部材は、前記ベース部材に対し、
前記ベース部の底面に位置し、前記ベース部の四角形状内でかつ前記壁部の延出方向の下側に位置する複数の突起部と、
前記切欠部が形成された位置で前記信号線の外周を覆うガスケット部とが一体に形成されていることを特徴とするアンテナ装置。」
という発明（以下、「本願発明」という。）を、
　
「　衛星から送出された信号を受信するアンテナ装置において、
　トップカバー及びボトムプレートが接合されてなるアンテナケースと、
　前記トップカバー内に収納され、前記信号を受信するアンテナモジュールと、
　前記トップカバーと前記ボトムプレートとの間に配設され、前記アンテナケースの密閉性を確保するパッキン部材と、
　前記アンテナモジュールに接続された信号線とを備え、
　前記トップカバーは、前記信号線を外部に引き出すための切欠部と、前記アンテナモジュールを収容する箱状の収容部を形成する壁部と、を有し、
　前記パッキン部材は、前記アンテナモジュールの底面部全面を覆う四角形状のベース部と、前記ベース部の下面に設けられた突起部と、前記切欠部が形成された位置で前記信号線の外周を覆うガスケット部と、が一体に形成されており、
　前記壁部は、
　前記トップカバーの内壁から前記ボトムプレートの方向に延出し、前記ボトムプレートが前記トップカバーに接合されることによって前記ベース部の上面に当接して前記パッキン部材を前記ボトムプレートとの間で圧縮し、
　前記突起部は、
　前記ベース部の四角形状の領域内でかつ前記壁部と前記ベース部とが当接するほぼ真下に位置し、前記パッキン部材が圧縮された状態で前記ボトムプレートに形成された孔部を貫通していることを特徴とするアンテナ装置。」
という発明（以下、「補正後の発明」という。）に補正することを含むものである。
　なお、本件手続補正書には上記補正後の発明に関し、「前記パッキン部材を前記ボトムカバーとの間で圧縮し」とあるが、「ボトムカバー」は「ボトムプレート」の誤記であると判断して、上記のように認定した。
　
　
２．補正の適否
（１）新規事項の有無、補正の目的要件
　上記補正は、以下の補正事項を含むものである。
（ａ）「パッキン部材」の配設位置に関して、
　補正前の「前記トップカバーと前記ボトムプレートとの接合部に配設され、」を、「前記トップカバーと前記ボトムプレートとの間に配設され、」と補正し、
（ｂ）トップカバーに設けられた「切欠部」の位置に関する「前記接合部に位置して、」との記載を削除し、
（ｃ）トップカバーに設けられた「壁部」に関して、
　補正前の「前記パッキング部材の前記アンテナモジュールの全面を覆う四角形状のベース部の周辺端において、前記ベース部の上面に接するように内壁から前記ボトムプレートの方向に延出する壁部」との記載を、
　「前記アンテナモジュールを収容する箱状の収容部を形成する壁部」であって、「前記壁部は、　前記トップカバーの内壁から前記ボトムプレートの方向に延出し、前記ボトムプレートが前記トップカバーに接合されることによって前記ベース部の上面に当接して前記パッキン部材を前記ボトムプレートとの間で圧縮し、」と補正し、
（ｄ）「パッキン部材」の構造に関し、
　補正前の「前記パッキン部材は、前記ベース部材に対し、前記ベース部の底面に位置し、前記ベース部の四角形状内でかつ前記壁部の延出方向の下側に位置する複数の突起部と、前記切欠部が形成された位置で前記信号線の外周を覆うガスケット部とが一体に形成されている」との記載を、
　「前記パッキン部材は、前記アンテナモジュールの底面部全面を覆う四角形状のベース部と、前記ベース部の下面に設けられた突起部と、前記切欠部が形成された位置で前記信号線の外周を覆うガスケット部と、が一体に形成されており、」と補正し、
（ｅ）「パッキン部材」の「突起部」に関して、
　「前記突起部は、　前記ベース部の四角形状の領域内でかつ前記壁部と前記ベース部とが当接するほぼ真下に位置し、前記パッキン部材が圧縮された状態で前記ボトムプレートに形成された孔部を貫通している」との記載を追加するものである。
　
　ここで、上記補正事項（ｅ）で追加された、「突起部」がその「パッキン部材が圧縮された状態」で「前記ボトムプレートに形成された孔部を貫通している」点に関して、
　出願当初明細書には、「突起部１５ｇはベース部１５ａの下面に設けられており、ボトムケース１２、樹脂シート３１を貫通してアンテナ本体の底面から露出している。突起部１５ｇはアンテナ本体を自動車の屋根に置いた際のすべり止めとなる。」（【００２１】後段）、「孔部１２ｂにはパッキン部材１５の突部１５ｇが挿入される。」（【００２４】中段）との記載はあるものの、関連する図面を勘案してもなお、「突起部」を構成する「パッキン部材が圧縮された状態」で「前記ボトムプレートに形成された孔部を貫通している」ことは読み取ることができず、特許法第１７条の２第３項（新規事項）の規定に反するものである。
　
　さらに、上記補正事項（ａ）の、「・・・接合部に配設され、」との記載を、「・・・間に配設され、」とする補正は、文言上は明らかに「接合部」より「間」の方が広い概念であるから、特許請求の範囲を減縮するものではなく、
　同様に、上記補正事項（ｂ）の、「切欠部」の位置に関して「前記接合部に位置して、」との記載を削除する補正も、構成要件を削除するのであるから、この点において特許請求の範囲を拡張するものであって、特許法第１７条の２第４項第２号（補正の目的）の規定に反するものである。
　
　そして、本件補正はまた、単なる請求項の削除でもなく、誤記の訂正でもなく、明りょうでない記載の釈明でもない。
　したがって、本件補正は平成１８年法律第５５号改正附則第３条第１項によりなお従前の例によるとされる同法による改正前の特許法第１７条の２第３項（新規事項）及び第４項第２号（補正の目的）の規定に適合しないものであって、却下すべきものである。
　
　
第３．本願発明について
１．本願発明
　本件補正は上記のとおり却下されたので、本願発明は、上記「第２．補正却下の決定」、「１．本願発明と補正後の発明」において「本願発明」として認定したとおりのものと認める。
　
　
２．引用発明
　
［引用発明及び周知技術］
Ａ．原審の拒絶理由に引用された特開平１０−２７６０２１号公報（以下、「引用例１」という。）には、「平面アンテナ」として、図面とともに以下の記載がある。
　
イ．「【０００１】
【発明の属する技術分野】本発明はＧＰＳ（グローバルポジショニングシステム）に使用される平面アンテナに係り、特に密閉された樹脂製ケース内に平面アンテナ素子を収容し、樹脂製ケースを磁力により所定取付位置に吸着させるよう構成された平面アンテナの改良に関する。
【０００２】
【従来の技術】周知のように、グローバルポジショニングシステムに用いる平面アンテナは、ＧＰＳ用人工衛星からの電波を受信するため、例えぱ自動車の金属製のルーフパネルに磁力により吸着して取付けられるけれども、従来の平面アンテナは、例えぱ図１２に示すような構造とされている。」
（２頁１欄）
　
ロ．「【００１４】
【発明の実施の形態】以下、図面と共に本発明の実施の形態について説明する。図１は本発明になる平面アンテナの一実施例を示す分解図、図２は平面アンテナの縦断面図、図３は平面アンテナの外観図である。平面アンテナ１１は、偏平四角形状のトップケース１２の内部に後述するアンテナ素子が収納され、底部にはアルミ製のグランドシート１３が貼着されている。また、グランドシート１３の四隅には、平面アンテナ１１が装着される際、ゴム脚１４が突出するための開口１３ａが設けられている。トップケース１２は、４辺の一つにケーブル１５が挿通される逆Ｕ字状の溝１６が設けられている。
【００１５】平面アンテナ１１は、トップケース１２の内部に、平面アンテナ素子（受信部）１７、平面アンテナ素子１７が載置されるＬＮＡ（ローノイズアンプ）基板１８、シールドケース１９、ゴム脚１４を有するゴムパッキン２０、ケーブル１５の取付部をシールするシール部材２１、ボトムプレート２２が収納される構成となっている。
　・・・（中略）・・・
【００１８】図４（Ａ）（Ｂ）及び図５（Ａ）〜（Ｆ）に示すように、ボトムプレート２２は、ゴムパッキン２０に当接する四角形のシート部２４と、シート部２４の外側に設けられトップケース１２の内部から起立したボス３７が挿通される４個の挿通孔２５と、シート部２４の外側の四隅に設けられゴム脚１４が挿通される四角形の挿通孔２６と、車両のボデーに磁力で吸着される一対の永久磁石２７（２７ａ，２７ｂ），２８（２８ａ，２８ｂ）が取り付けられる磁石取付部２９，３０とを有する。」（３頁３〜４欄）
　
ハ．「【００２１】また、図５（Ｇ）に拡大して示すように、シール部材２１が当接する部分には、シート部２４と平行に形成された突部３１と、ケーブル１５を所定高さに支持する支持部３２とが形成されている。この突部３１は、シート部２４と共に、ゴムパッキン２０のケーブル１５が挿通された部分を押圧してケーブル１５に対するシール効果を高めるように作用する。
【００２２】図６（Ａ）〜（Ｅ）に示すように、ゴムパッキン２０は、ボトムプレート２２に対向する面積を有してシート部２４に当接する平板部２０ａと、シート部２４に対応する四角枠状に形成されてトップケース１２内部のシート部３２に当接する当接部２０ｂと、シート部２４に対応するように形成されたトップケース１２内部のシート部３３（３３ａ，３３ｂ）に係合して取付位置を規制される平行な突部２０ｃと、平板部２０ａの四隅に一体形成されたゴム脚１４を支持する四角形状の支持部２０ｄとよりなる。
【００２３】このゴムパッキン２０は、従来使用されていたリング状パッキンのように中央部分が抜けていないので、平板部２０ａの下面側が当接するボトムプレート２２との間のシール性を確保する必要がなく、トップケース１２との間のシール性を高めることによりトップケース１２内部を気密にして防水性を確保できる。また、ゴムパッキン２０は、平板部２０ａが上記ボトムプレート２２のシート部２４に当接し、上側の周縁部分に突出された枠状の当接部２０ｂがトップケース１２内部のシート部３３ａ，３３ｂ（図１，図２参照）の下端に当接するようにボトムプレート２２とトップケース１２との間に介在する。そして、上記４本のビス２３がトップケース１２に螺入されて締め付けられると共に、ゴムパッキン２０の平板部２０ａ及び当接部２０ｂが上下方向から圧縮されてトップケース１２の底部開口の隙間をシールして雨水がトップケース１２の内部に侵入することを防止する。
【００２４】また、ゴムパッキン２０の四隅に突出されたゴム脚１４がボトムプレート２２の四隅に形成された挿通孔２６に挿通されてボトムプレート２２の下方に突出する。そして、ゴム脚１４は挿通孔２６より若干大きい寸法に形成されているので、挿通孔２６に圧入されると、ゴムパッキン２０の支持部２０ｄがボトムプレート２２の上面側に当接すると共にグランドシート１３からの突出長さが規制されると共に、ゴム脚１４が挿通孔２６の内周に係止されて抜け防止される。
【００２５】そのため、ゴムパッキン２０をボトムプレート２２とトップケース１２との間に装着すると共に、ゴム脚１４をボトムプレート２２の下方に突出させることができる。このように、ゴムパッキン２０は、ゴム脚１４がシール部分と一体に設けられているので、従来のようにゴム脚１４を永久磁石の両側に一つずつ取り付ける手間が不要となって組立工程の作業効率を高めることができ、且つ部品点数を削減することができる。
【００２６】図７はトップケース１２の構成を説明するための図、図８は図７中Ｅ−Ｅ線に沿う縦断面図、図９は図７中Ｆ−Ｆ線に沿う縦断面図である。トップケース１２は、内部中央に平面アンテナ素子１７、ＬＮＡ基板１８、シールドケース１９が収納される正方形状の収納室３５と、収納室３５の周囲を囲むように２重に形成されたシート部３３（３３ａ，３３ｂ）と、ゴム脚１４を支持する支持部２０ｄに当接してゴム脚１４がグランドシート１３より下方に突出するように支持するリブ３６と、ボトムプレート２２の挿通孔２５に挿通されるボス３７と、ケーブル１５が挿通されるシール部材２１が装着されると共にケーブル１５が引き抜けないように係止する係止部３８とを有する。」（４頁５〜６欄）
　
ニ．「【００３２】これにより、ボトムプレート２２上に四角枠状に形成されたシート部２４が収納室３５の周囲に２重に形成されたシート部３３ａと３３ｂとの間に位置し、シート部３３ａ，３３ｂとゴムパッキン２０の当接部２０ｂとの間の圧着力が確保されてシール性がより一層高められている。しかも、ゴムパッキン２０の下面側とボトムプレート２２との間で雨水が侵入してもゴムパッキン２０の平板部２０ａが収納室３５の下側開口を覆うように閉塞しているため、例えシート部２４とゴムパッキン２０の下面との間で水漏れが生じても収納室３５に雨水が侵入せず、収納室３５の防水性が確保される。
【００３３】また、ケーブル１５が挿通されるトップケース１２の溝１６においては、溝１６内の係止部３８に係止されたシール部材２１がシート部２４及び突部３１により局部的に圧縮されてシール部材２１の内周及び外周のシール性が確保されている。そのため、トップケース１２とボトムプレート２２との間は、ゴムパッキン２０及びシール部材２１により確実にシールされてトップケース１２の内部に形成された収納室３５の防水性能をより確実なものとすることができる。」（５頁７欄）
　
　
　上記引用例１の記載及び関連する図面ならびにこの分野における技術常識を考慮すると、
　まず、上記引用例１記載の「平面アンテナ」は、上記イ．【０００１】、【０００２】にあるように、ＧＰＳ（グローバルポジショニングシステム）用の「人工衛星からの電波を受信する」ためものものであって、
　上記ロ．【００１５】及び【図１】、【図２】にあるように、「トップケース１２」の内部に、少なくとも「平面アンテナ素子（受信部）１７、平面アンテナ素子１７が載置されるＬＮＡ（ローノイズアンプ）基板１８」を収納して成り、これらはアンテナとして電波を受信する機能を奏するための構成要素・機能単位（モジュール）であるから『アンテナモジュール』ということができる。
　また同様に、前記「トップケース１２」は「ボトムプレート２２」と接合されて、前記『アンテナモジュール』を収納する容器（ケース）を構成しているから、これらを『アンテナケース』ということができ、
　前記「トップケース１２」と「ボトムプレート２２」の間には「ゴムパッキン２０」が配設されて、前記『アンテナケース』を「気密にして防水性を確保」することも、上記ハ．【００２３】に記載されている。
　また同様に、上記ロ．【００１４】、【００１５】及び【図１】、【図２】、【図７】には、上記『アンテナモジュール』に接続された「ケーブル１５」の記載があり、
　前記「トップケース１２」は、その略四角形状の４辺の一つに「ケーブル１５が挿通される逆Ｕ字状の溝１６」が設けられている事も記載があって、
　この「溝１６」に挿通される「ケーブル１５」の取付部をシールする「シール部材２１」についても記載（上記ロ．【００１５】、図１、上記ハ．【００２１】、【００２６】）されている。
　また同様に、前記「トップケース１２」の内部構造に関して、上記ハ．【００２６】及び【図７】、【図８】には、
「トップケース１２は、内部中央に平面アンテナ素子１７、ＬＮＡ基板１８、シールドケース１９が収納される正方形状の収納室３５と、収納室３５の周囲を囲むように２重に形成されたシート部３３（３３ａ，３３ｂ）」を有するとあって、
　上記ハ．【００２２】、【００２３】及び【図２】、【図６】に記載された前記「ゴムパッキン２０」の構造（四角形状の「平板部２０ａ」、「当接部２０ｂ」）も勘案すれば、前記「トップケース１２」は、『前記ゴムパッキン２０の前記アンテナモジュールの全面を覆う四角形状の平板部２０ａの周辺端において、当接部２０ｂに当接するように内壁から前記ボトムプレート２２の方向に延出するシート部３３（３３ａ，３３ｂ）』を有するということができる。
　そして更に、前記「ゴムパッキン２０」の構造に関して、上記ロ．【００１５】、上記ハ．【００２２】、【００２４】及び【図６】の記載によれば、前記「ゴムパッキン２０」は、複数の「ゴム脚１４」が「一体形成」されており、
これら「ゴム脚１４」は、『前記平板部２０ａの底面側に位置し、前記平板部２０ａの四角形状の四隅』に位置するものであって、
さらに引用例１【図２】の断面図も参照すれば、『前記シート部３３ｂの延出方向の下側に位置する』ものであることも認めることができる。
　
　したがって、上記引用例１には以下の発明（以下、「引用発明１」という。）が開示されている。
　
（引用発明１）
「人工衛星からの電波を受信する平面アンテナ１１において、
トップケース１２及びボトムプレート２２が接合されてなるアンテナケースと、
前記トップケース１２内に収納され、前記電波を受信するアンテナモジュールと、
前記トップケース１２と前記ボトムプレート２２との間に配設され、前記アンテナケースを気密にして防水性を確保するゴムパッキン２０と、
前記アンテナモジュールに接続されたケーブル１５とを備え、
前記トップケース１２は、
前記ケーブル１５を外部に引き出すための溝１６と、
前記ゴムパッキン２０の前記アンテナモジュールの全面を覆う四角形状の平板部２０ａの周辺端において、当接部２０ｂに当接するように内壁から前記ボトムプレート２２の方向に延出するシート部３３（３３ａ，３３ｂ）を有し、
前記ゴムパッキン２０は、前記平板部２０ａに対し、
前記平板部２０ａの底面側に位置し、前記平板部２０ａの四角形状の四隅でかつ前記シート部３３ｂの延出方向の下側に位置する複数のゴム脚１４が一体形成され、
前記溝１６が形成された位置で前記ケーブル１５の取付部をシールするシール部材２１を有する、平面アンテナ。」
　
　
Ｂ．同じく原審の拒絶理由に引用された特開平９−１６７９０８号公報（以下、「引用例２」という。）には「アンテナ装置」として、図面とともに以下の事項が記載されている。
　
イ．「【０００１】
【発明の属する技術分野】本発明は、マルチメディアの移動体通信など、例えば車両などの移動体に取り付けてＧＰＳ信号を受信するために低姿勢で使用される小型のアンテナ装置に関するものである。
【０００２】
【従来の技術】ＧＰＳ信号を受信するアンテナ装置など、車両等の移動体に取り付けられるアンテナ装置は、アンテナユニットを上カバーと下カバーとからなる容器内に収容して形成される。そして上カバーと下カバーの結合は、下カバーの四隅にねじを通して上カバーにねじ込むことによって行なわれている。
【０００３】
【発明が解決しようとする課題】しかしこのように上カバーと下カバーをねじ止めするにあたってねじを四隅にねじ込むようにすると、容器の構造が複雑になってアンテナ装置を組み立てる際の実効誘電率のばらつきが大きくなると共に、金属のねじによる影響が大きくなり、アンテナの共振周波数を一定に製造するのが困難になるという問題があった。またねじ込み箇所が多くなるために組み立て工数が増加するという問題もあった。
【０００４】本発明は上記の点に鑑みてなされたものであり、安定した性能を有し、少ない工数で組み立てることができるアンテナ装置を提供することを目的とするものである。
【０００５】
【課題を解決するための手段】本発明に係るアンテナ装置は、アンプ回路を設けたプリント配線板１にアンテナ素子２を取着して形成されるアンテナユニット３を上カバー４と下カバー５からなる容器６内に収納したアンテナ装置において、アンテナユニット３を囲むように配置した環状のパッキン材７を上カバー４と下カバー５の間に挟み、上カバー４と下カバー５の一方の側端部同士を引っ掛け係止すると共に他方の側端部同士をネジ８で螺結して上カバー４と下カバー５とを結合させ、プリント配線板１に接続される信号ケーブル９を上カバー４と下カバー５の間に挟み込んで成ることを特徴とするものである。
【０００６】また請求項２に係る発明は、アンテナ素子２は誘電体がセラミックで形成されたセラミックアンテナ素子であることを特徴とするものである。また請求項３に係る発明は、パッキング材７に複数の脚片１０を設け、下カバー５の下面にこの脚片１０の先端を突出させて成ることを特徴とするものである。」（２頁１〜２欄）
　
ロ．「【００１２】パッキン材７はＥＰＤＭ、シリコーンゴム、フッ素ゴム等の弾性材でプリント配線板１よりも一回り大きい四角枠状に形成してあり、その上面には全長に亘って嵌合溝２５が凹設してある。パッキン材７の１辺の中央部には、パッキン材７の上下幅の寸法よりも大きな寸法の縦径の円盤形に形成したケーブル保持部２６が設けてあり、ケーブル保持部２６にパッキン材７の内外方向に開口させて設けたケーブル通し孔２７に上記の信号ケーブル９を通すようにしてある。信号ケーブル９はケーブル通し孔２７内に固着させて一体化するのが好ましい。ケーブル保持部２６の上面には嵌合溝２５の一部をなす溝が形成されており、ケーブル保持部２６の下面にも係合溝２８が形成してある。また、パッキン材７の四隅の端部にはそれぞれ下方へ脚片１０が一体に突出して設けてあり、各脚片１０の下端は大径となった接地部２９として形成してある。」（３頁３〜４欄）
　
ハ．「【００１５】上カバー４は図３に示すように、下面が開口するドーム状に形成してあり、周縁部に沿って上記パッキン材７とほぼ同じ大きさの四角枠状の挟持用凸枠３９が垂下して設けてある。挟持用凸枠３９の各辺の内面には押さえリブ４０が突設してある。挟持用凸枠３９の１辺の中央には半円形の凹部３２ｄが形成してあり、この凹部３２ｄに対応する箇所において上カバー４の端部にはケーブル導出口４１が形成してある。・・・（以下略）」（３頁４欄）
　
　上記記載および関連する図面を参照すれば、引用例２の「パッキン材７」には、その「ケーブル通し孔２７に上記の信号ケーブル９を通す」ための「ケーブル保持部２６」が「パッキン材７」と『一体に形成されている』ことを認めることができる（上記ロ．図２）ので、引用例２には以下の発明（以下、「引用発明２」という）が開示されている。　
　
（引用発明２）
「ＧＰＳ信号を受信するアンテナ装置において、
上カバー４と下カバー５からなる容器６と、
容器６内に収納したアンテナユニット３と、
上カバー４と下カバー５の間に挟まれたパッキン材７と、
アンテナユニット３に接続された信号ケーブル９とを備え、
上カバー４は、
その端部にはケーブル導出口４１が形成してあり、
周縁部に沿って上記パッキン材７とほぼ同じ大きさの四角枠状の挟持用凸枠３９が垂下して設けてあり、
前記パッキン材７は、
その四隅の端部にはそれぞれ下方へ突出した脚片１０と、
そのケーブル通し孔２７に上記の信号ケーブル９を通すためのケーブル保持部２６とが一体に形成されているアンテナ装置。」　
　
　［対比・判断］
　本願発明と引用発明１を対比すると、
　まず、引用発明１の「人工衛星からの電波」、「平面アンテナ１１」、「トップケース１２」、「ゴムパッキン」、「ケーブル１５」、「溝１６」は、それぞれ本願発明の「衛星から送出された信号」、「アンテナ装置」、「トップカバー」、「パッキン（グ）部材」、「信号線」、「切欠部」に相当する。
　また、引用発明１の「前記アンテナケースを気密にして防水性を確保するゴムパッキン２０」において、「気密にして防水性を確保する」とは「密閉性を確保する」ことであるから、本願発明の「前記アンテナケースの密閉性を確保するパッキン部材」に相当する。
　また、引用発明１の「平板部２０ａ」、「シート部３３」はいずれも板状の構造であるから、これらはそれぞれ本願発明の「ベース部」、「壁部」に相当し、引用発明１の「アンテナ装置」（平面アンテナ１１）の設置方向を勘案すれば、その「ベース部」（平板部２０ａ）の上面側に「壁部」（シート部３３）が当接する「当接部２０ｂ」があるから、引用発明１の「壁部」（シート部３３）は「ベース部の上面」に接するものである。
　また、引用発明１の「ゴム脚１４」は突出した形状であるから、本願発明の「突起部」であり、
引用発明１の「四角形状の四隅で」を、本願発明の「四角形状内で」と対比すると、両者は共に「四角形状の近傍」である点において一致し、
引用発明１の「前記ケーブル１５の取付部をシールするシール部材２１」を、本願発明の「前記信号線の外周を覆うガスケット部」と対比すると、「シールする」とは「seal」（密封する）ことであるから、少なくとも密封される「信号線」（ケーブル１５）の一部を覆う必要があるのは自明なことであって、「信号線を覆う部材」である点において両者は一致する。
　したがって、両者は以下の点で一致し、また相違している。
　
（一致点）
「衛星から送出された信号を受信するアンテナ装置において、
トップカバー及びボトムプレートが接合されてなるアンテナケースと、
前記トップカバー内に収納され、前記信号を受信するアンテナモジュールと、
前記トップカバーと前記ボトムプレートとの間に配設され、前記アンテナケースの密閉性を確保するパッキン部材と、
前記アンテナモジュールに接続された信号線とを備え、
前記トップカバーは、
前記信号線を外部に引き出すための切欠部と、
前記パッキング部材の前記アンテナモジュールの全面を覆う四角形状のベース部の周辺端において、前記ベース部の上面に接するように内壁から前記ボトムプレートの方向に延出する壁部を有し、
前記パッキン部材は、前記ベース部材に対し、
前記ベース部の底面に位置し、前記ベース部の四角形状近傍でかつ前記壁部の延出方向の下側に位置する複数の突起部が一体に形成され、
前記切欠部が形成された位置で前記信号線を覆う部材を有するアンテナ装置。」
　
　
（相違点１）
　「パッキン部材」（ゴムパッキン２０）の配設位置に関して、
　本願発明では「前記トップカバーと前記ボトムプレートとの接合部に配設」されるのに対し、引用発明１では「前記トップケース１２と前記ボトムプレート２２との間に配設」される点、および、
　「トップカバー」（トップケース１２）に設けられる「切欠部」（溝１６）の位置に関して、
　本願発明では「前記接合部に位置」するのに対し、引用発明１には特に記載がない点。
　
（相違点２）
　　「パッキン部材」（ゴムパッキン２０）に形成される「突起部」（ゴム脚１４）の位置（四角形状近傍）に関して、
　本願発明では「前記ベース部の四角形状内」であるのに対し、引用発明１では「前記平板部２０ａの四角形状の四隅」である点。
　
（相違点３）
　「部材」（本願発明の「ガスケット部」、引用発明１の「シール部材２１」）に関して、
本願発明では「前記信号線の外周を覆うガスケット部」が（突起部と）「一体に形成」されているのに対し、
引用発明１では単に「前記ケーブル１５の取付部をシールするシール部材２１」を有する点。
　
　
　そこで、まず、上記相違点１の「パッキン部材」（ゴムパッキン２０）の配設位置（本願発明の「接合部」、引用発明１の「間」）に関し検討する。
　上記「第２．補正却下の決定」の「２．補正の適否」、「（１）新規事項の有無、補正の目的要件」でも指摘したように、文言上は明らかに「接合部」のほうが「間」というより狭い概念であるから、最初に、本願発明における「前記トップカバーと前記ボトムプレートとの接合部」の具体的な部位について検討するに、
　本願明細書の発明の詳細な説明の記載を参酌しても、従来例の記載を含め「パッキン部材」の配設される「接合部」に関しては、本願発明の記載と同様な「トップカバー１１とボトムプレート１２との接合部に配設されてアンテナケース１３の密閉性を確保するパッキン部材１５」（本願明細書【００１６】）などの記載しか無く、更に本願の図面を参酌しても本願発明の「パッキン部材」が配設される位置は「トップカバー」と「ボトムプレート」の「間」という以上の具体的な部位の特定はできない。
　また、本願発明の「パッキン部材」の「アンテナモジュールの全面を覆う」板状の全体形状からしても、その配設位置は「トップカバー」と「ボトムプレート」に対しては、その「間」という以上の限定はできないものである。
　であるとすれば、同様に板状の全体形状を有する引用発明１の「ゴムパッキン２０」の配設位置（間）と対比して、本願発明の「接合部」に具体的な配設位置として特段の技術的意義のある相違点を見いだすことはできず、この点に関する相違点１の相違は格別のことではない。
　また、「前記接合部に位置」するとした本願発明の「切欠部」に関しても、引用例１【図７】（Ａ）の「溝１６」を、本願明細書【図３】の上図にある「切欠部１１ａ」と対比すれば明らかなように、両者に具体的な位置の相違はなく、この点に関する相違点１の相違も実質的なことではない。
　
　ついで、相違点２の「突起部」の形成される四角形状近傍の位置に関して検討するに、
　引用発明１の「突起部」である「ゴム脚１４」は「平板部２０ａ」（ベース部）の四角形状の「四隅」に形成されるものであって、引用例１【図６】を参照すれば、「平板部２０ａ」の四角形状の「四隅」の角に突出して形成されている事が認められるが、構造物を固定するための脚部をどの程度の広がりをもって配置するかは、固定構造の安定性などを勘案して当業者であれば適宜に定め得る程度のことに過ぎず、
　「壁部の延出方向」との位置関係（下側）についても、引用発明１の「シート部３３ｂ」においても認定したように、同様な位置関係であるから、格別の作用効果を認めることはできず、「突起部」を「前記ベース部の四角形状内」とする相違点２も格別のことではない。
　
　最後に相違点３の「部材」（本願発明の「ガスケット部」、引用発明１の「シール部材２１」）に関し、本願発明では「前記信号線の外周を覆うガスケット部」が（突起部と）「一体に形成」されている点につき検討するに、
　ケーブルのような信号線の引き出し構造として、その取付部をシールする部材を「ガスケット」と称することは、原審においても周知例として挙げた、特開平８−１４８９３２号公報（図１、アンテナケーブル３、ガスケット４等参照）、特開２００３−４６２７１号公報（図３、ケーブル１、ケーブルガスケット１２等参照）、特開２００２−２６２４３９号公報（図２〜図８、ガスケット２、切断面２ｂ、ケーブル１５等参照）にあるように周知のものであって、そのような「ガスケット」が「信号線」（ケーブル）の「外周を覆う」構造となることも自明なことであるが、
　ＧＰＳ信号を受信するアンテナ装置において、このような「ガスケット」（引用発明１の「シール部材」、引用発明２の「ケーブル保持部」が相当）をパッキン材と一体に形成することも、引用発明２にあるように公知のことである。
　引用発明１と同様な基本構造の引用発明２を引用発明１に組み合わせるに何ら阻害要因はなく、相違点３は引用発明１に引用発明２を組み合わせることにより、当業者であれば容易になし得たことに過ぎない。
　
　また、本願発明が奏する効果も前記引用発明１、２及び周知技術から容易に予測出来る範囲内のものである。
　
　以上のとおり、本願発明は、上記引用発明１、２及び周知技術に基づいて当業者が容易に発明をすることができたものと認められるから、特許法第２９条第２項の規定により特許を受けることができない。
　
　よって、結論のとおり審決する。